(57)【要約】【課題】ビデオレコーダ等の映像出力装置において、静止画にアスペクト変換を行い、必要な大きさの映像を得る際に、空間的に映像を分割し、それぞれに拡大縮小器を用意して、その後に合成して、映像を得ると、映像の加工に必要な拡大縮小器などの回路装置が複数必要になり、回路規模が増大する。【解決手段】映像のフレームレートを上げ、映像の拡大縮小手段を時分割的に動作させることにより、通常映像の間に、加工した静止画を挿入することにより、通常映像と同じ経路で、サムネイルのような静止画を、必要なアスペクトで得ることができることとなる。【選択図】図１
2007259193.tif 000002
【特許請求の範囲】
【請求項１】
映像信号の処理速度を変換する第１のフレームレート変換手段と、前記第１のフレームレート変換手段の出力に静止画を挿入する静止画挿入手段と、前記第１のフレームレート変換手段の出力映像の大きさを変える拡大縮小手段と、前記拡大縮小手段の出力映像のフレームレートを変換する第２のフレームレート変換手段と、前記第２のフレームレート変換手段の出力から、前記静止画挿入手段で挿入した静止画フレームを抽出する静止画抽出手段とを備えたことを特徴とする映像出力装置。
【請求項２】
前記静止画抽出手段から抽出した静止画から作成した画像を、前記第２のフレームレート変換手段の出力映像と合成する合成手段をさらに備えたことを特徴とする、請求項１に記載の映像出力装置。
【請求項３】
映像信号の処理速度を変換する第１のフレームレート変換ステップと、前記変換された出力に静止画を挿入する静止画挿入ステップと、前記挿入後の映像の大きさを変える拡大縮小ステップと、前記大きさを変えられた出力のフレームレートを変換する第２のフレームレート変換ステップと、前記第２のフレームレート変換ステップで変換された出力から静止画フレームを抽出する静止画抽出ステップとを有することを特徴とする映像出力方法。
【発明の詳細な説明】
【技術分野】
【０００１】
本発明は、ビデオレコーダ等のように、テレビジョンに映像を出力する、映像出力装置、及び方法に関するものである。
【背景技術】
【０００２】
映像出力装置は、アスペクトの異なる複数の映像を表示する際に、空間的に映像を分割し、それぞれに拡大縮小器を用意して、その後に合成して、映像を得ている。（例えば、特許文献１参照。）
【特許文献１】特開２００５−１８４１２５号公報（第５−８頁、第１図）
【発明の開示】
【発明が解決しようとする課題】
【０００３】
解決しようとする問題点は、拡大縮小器を２経路必要となり、映像の加工に必要な拡大縮小器回路装置が複数必要になり、回路規模が増大するという点である。
【課題を解決するための手段】
【０００４】
本発明における映像信号出力装置は、拡大縮小部の回路規模を抑えるために、映像のフレームレートを上げ、映像の拡大縮小手段を時分割的に動作させることにより、通常映像の間に、加工する静止画を挿入することにより、通常映像と同じ経路で、サムネイルのような静止画を必要なアスペクトで得ることを最も主要な特徴とする。
【発明の効果】
【０００５】
本発明における映像出力装置では、映像の拡大縮小手段を時分割的に動作させるので、映像の拡大縮小手段に必要な回路規模を少なくすることができ、さらに、通常の映像と同じ縦横比で構成できるために、簡単な制御で、サムネイルのような、静止画と、動画を同時に表示することができるという利点がある。
【発明を実施するための最良の形態】
【０００６】
サムネイルのような、静止画と、動画を同時に表示することのできる映像出力装置を映像のフレームレートを変換することで、拡大縮小の経路を１経路で実現した。
【０００７】
（実施の形態１）
図１は、本発明の実施の形態１における映像出力装置の構成を示すブロック図である。図１において、１は映像入力手段であり、蓄積メディアや放送などの映像入力手段１からの映像は通常、圧縮されているので、デコードして、映像信号に直すものである。デコードされた映像は、メモリである、デコードバッファ８に保存される。２はフレームレート変換手段であり、通常の映像は、１秒間に３０枚の絵を表示することによって、動画を表現しているが、例えば、１秒間に３２枚の映像を送出している。これは、デコードバッファ８からの読み出しレートを変えることにより実現している。９は静止画挿入手段であり、フレームレート変換手段２によって映像の送出レートを増やしたところに、静止画を挿入する。これは、デコードバッファ８のメモリ上に静止画を配置し、例えば１秒間に３２枚の映像を送出する場合に、１秒間に２枚分の静止画を挿入することによって実現している。
【０００８】
静止画挿入手段９は、メモリ手段１５，経路切り換え手段１６からなり、フレームレート変換手段２の出力に静止画を挿入する。また、静止画挿入手段９は、図９に構成図を示すように、静止画を、デコードバッファ８と同じメモリ手段に、静止画映像データを配置し、フレームレート変換手段２のメモリ読み出し場所を変えることによってデコード映像の途中に静止画を挿入する、静止画挿入手段１７のような構成でも、同等に、フレームレート変換手段の出力に静止画を挿入することができることなる。
【０００９】
３は拡大縮小手段であり、通常の映像と、挿入静止画ともに、拡大縮小される。４はパネル変換手段であり、拡大縮小手段３と同等のものであるが、出力テレビに従って、縦横比を変換し、映像の周辺にサイドパネルやレターボックスと呼ばれる帯を付加するものである。５は第２のフレームレート変換手段であり、例えば１秒間に３２枚で処理していたものを通常の１秒間に３０枚の映像処理に戻すものである。この時、余分に処理された静止画は、静止画メモリに１１に格納され、静止画抽出手段１０により抽出される。１３はメニュー画面作成手段であり、静止画抽出手段１０によって抽出された静止画を用いて、再生指示などのユーザーの操作を受け付ける、メニュー画面を作成するものである。６は映像出力手段であり、第２のフレームレート変換手段５によって、通常のフレームレートに変換された、動画をテレビ装置に出力するものである。１２は、オンスクリーン合成手段であり、映像出力手段に６によって出力される映像に、メニュー画面作成手段１３によって作成された、メニュー画面や、ユーザー操作画面のような静止画像を合成するものである。
【００１０】
このように構成された、映像出力装置に関して、その動作を説明する。図２、図３は、本発明の動作を示す動作図であり、図２は、通常の送出レートで送出される映像の処理される様子を時間軸上に並べて示したものである。図３は、フレームレートを上げて静止画を挿入して処理する様子を時間軸上に並べて表示している。
【００１１】
図１における、映像入力手段１によって、デコードされた圧縮映像は、デコードバッファ８にフレーム単位で保存される。保存された映像は、順次、出力されるのであるが、本実施の形態では、その出力は、フレームレート変換手段２によって処理され、通常よりも早いフレームレートで出画される。例えば、通常の映像は、１秒間に３０枚の絵を表示しており、図２のように処理されるが、例えば、１秒間に３２枚の映像を送出するように、フレームレート変換手段２により、デコードバッファ８からの読み出しレートを早めることにより、１秒間に処理できるフレーム数を増やしている。その増やしたフレームに対して、静止画挿入手段９によって、静止画をデコードバッファ８に挿入している。フレームレート変換手段２によって読み出された映像の中に、図３のａで示しているように、静止画が、通常の動画のフレーム列の中に挿入された形で処理されることとなる。デコードバッファ８に保存された映像は、静止画のフレームの集まりであるため、一部、別のメモリに移動保存することにより、今回挿入した静止画のように、再利用を行なっている。
【００１２】
図４は同じく、本発明の動作を示す説明図である。拡大縮小手段３、または、パネル変換手段４は、映像のフレーム単位またはフィールド単位で拡大縮小を行うことができるが、これらによって縮小された映像は、図４に示すように、フレームごとに縮小されて、伝送される。その様子を図４に示している。このように加工された静止画ａは、第２のフレームレート変換手段５によって、静止画メモリ１１に書き出され、静止画抽出手段１０によって抽出される。挿入した静止画以外の映像は、映像出力手段６によって通常のフレームレートに変換されて、通常の動画をテレビ装置に出力されるのであるが、オンスクリーン合成手段１２により、抽出した静止画と動画が合成されて出画される。この動作を次に示す。
【００１３】
図５、図６は、本発明の動作を示す画面説明図であり、静止画抽出手段１０によって縮小加工された静止画は、メニュー画面作成手段１３によって、図５のように画面２０の中に、２２ａ，２２ｂ，２２ｃなどのように、オンスクリーン上に配置する、メニュー画面を作成する。図５の２１は動画の表示される窓であり、オンスクリーン合成手段１２により、映像の上に合成することにより、図６のような、静止画と動画を混在させたユーザー操作画面を作成することができることとなる。図６の画面は、メニュー画面作成手段１３によって作成されたメニュー画面に並んだ静止画をユーザーがリモコン操作などで、選択することにより、選択された静止画部分を今度は、動画を表示する窓に作り変えるように、メニュー画面作成手段１３により、作成し直し、オンスクリーン合成手段１２によって、合成し、ユーザーが選択した静止画が動画として動き出すように演出している。
【００１４】
図６のような映像は、さらに、接続するテレビに応じて、図７のように、画面３０の中に、３２ａ，３２ｂ，３２ｃのような静止画と、３１の動画で表せるような画面を作成し、接続テレビにあった縦横比に変換したり、図７のように、サイドパネルと呼ばれる帯をつけて表示する。このように、接続テレビに合わせた画面は、パネル変換手段４によって加工されて、静止画抽出手段１０によって抽出した静止画をならべて作成したものである。このように変換された静止画を静止画抽出手段１０で抽出しながら、オンスクリーン上に画面に並べて、オンスクリーン合成手段１２によって動画と合成することにより、図７のような映像を得ることができることとなる。このように、接続テレビに合わせて、例えば４：３テレビ、ワイドテレビによって、表示される映像、及び静止画のアスペクト比（縦横比）をあわせている。これに合わせて、通常映像と挿入静止画を、拡大縮小手段３、及びパネル変換手段４によって、映像を拡大縮小して加工しているので、全画面で動画を表示する時と同じ縦横比のイメージで、図７のようなメニュー画面の静止画や縮小動画を表示させることができることとなる。
【００１５】
次に、このように、フレームレートを変換して静止画を挿入し、拡大縮小した後にフレームレート変換して、静止画を抽出する、映像出力方法の流れを説明する。図８は、本発明の映像出力方法を示すフロー図である。図８において、処理の開始（４０）から、映像をデコードなどで装置に入力し（４１）、第１のフレームレート変換を行って、映像の処理速度を変える。（４２）、その後、処理の余裕が出来た時間分に、静止画を挿入する（４３）。その後、静止画を単独、もしくは、元動画と一緒の拡大縮小率で、拡大縮小し（４４）、第２のフレームレート変換を行って、出画の処理速度に戻して（４５）、静止画を抽出している（４６）。
【００１６】
このようにフレームレート変換を行った後に静止画の挿入と拡大縮小処理を行うことにより、時分割して処理を行うことができるので、拡大縮小処理に必要な回路規模を削減することができることとなる。
【００１７】
なお、このような映像出力装置、及び方法は、複数の映像から、縮小動画を作成する場合にも有効であるが、映像がフィールド単位に多重化された放送を受信表示する場合にも有効である。
【産業上の利用可能性】
【００１８】
本発明にかかる映像出力装置、及び方法は、このように、映像と、静止画を時系列的に拡大縮小することができるので、ＤＶＤレコーダのような映像レコーダのメニュー画面、特に、静止画と動画を混在させたメニュー画面の作成、静止画を元に、ユーザーに選択させる用途に有用である。
【図面の簡単な説明】
【００１９】
【図１】本発明の実施の形態１における映像出力装置の構成図
【図２】本発明の動作を説明する説明図
【図３】本発明の動作を説明する説明図
【図４】本発明の動作を説明する説明図
【図５】本発明の動作を説明する説明図
【図６】本発明の動作を説明する説明図
【図７】本発明の動作を説明する説明図
【図８】本発明の映像出力方法を示すフロー図
【図９】本発明の実施の形態１における映像出力装置の構成図
【符号の説明】
【００２０】
１    映像入力手段
２    フレームレート変換手段
３    映像拡大縮小手段
４    パネル変換手段
５    フレームレート変換手段
６    映像出力手段
８    デコードバッファ
９    静止画挿入手段
１０    静止画抽出手段
１１    静止画メモリ
１２    オンスクリーン合成手段
１３    メニュー画面作成手段
１５    メモリ手段
１６    経路切り換え手段
１７    静止画挿入手段
２０    画面
２１    動画窓
２２ａ，ｂ，ｃ    静止画
３０    画面
３１    動画
３２ａ，ｂ，ｃ    静止画
４０    開始ステップ
４１    映像入力ステップ
４２    第１のフレームレート変換ステップ
４３    静止画挿入ステップ
４４    拡大縮小ステップ
４５    フレームレート変換ステップ
４６    静止画抽出ステップ
【図１】
2007259193.tif 000003
【図２】
2007259193.tif 000004
【図３】
2007259193.tif 000005
【図４】
2007259193.tif 000006
【図５】
2007259193.tif 000007
【図６】
2007259193.tif 000008
【図７】
2007259193.tif 000009
【図８】
2007259193.tif 000010
【図９】
2007259193.tif 000011